(57)【特許請求の範囲】
【請求項１】
外気を吸い込む空気吸込口が側面に形成され、梁状の支持部をもつ吊下受け部を上部に備えた本体フレームと、  前記空気吸込口に沿って前記本体フレームの内部に配設された第１熱交換器と、前記第１熱交換器の内側面に沿って配設された第２熱交換器と、を含む室外熱交換器と、  前記第１熱交換器に係合する第１吊下部材と、前記第２熱交換器に係合する第２吊下部材と、を含む吊下部と、  前記吊下受け部と前記吊下部とを連結する連結部材と、を有し、  前記室外熱交換器は、  前記吊下部および前記連結部材を介して前記吊下受け部により支持されている空気調和装置の室外機。
【請求項２】
前記室外熱交換器は、  前記第１熱交換器と前記第２熱交換器との間に、前記第１熱交換器の内側面に沿って配設された第３熱交換器をさらに有し、  前記吊下部は、  前記第３熱交換器に係合する第３吊下部材をさらに有し、  前記連結部材は、  前記吊下受け部と、前記第１吊下部材、前記第２吊下部材、および前記第３吊下部材とを連結するものである請求項１に記載の空気調和装置の室外機。
【請求項３】
前記第１吊下部材および前記第２吊下部材は、それぞれ、  柱状に形成された基部と、  前記基部から高さ方向に延び、フック状に形成された係止部と、を有し、  前記連結部材は、  前記支持部の上面に一部が当接すると共に、  前記第１吊下部材の前記係止部の先端が挿入される第１溝部と、  前記第２吊下部材の前記係止部の先端が挿入される第２溝部と、を有する請求項１又は２に記載の空気調和装置の室外機。
【請求項４】
前記第１熱交換器および前記第２熱交換器では、それぞれ、  一端部から他端部に亘って延びる複数の伝熱管が高さ方向に並んでおり、  前記第１吊下部材および前記第２吊下部材は、それぞれ、  前記基部に接続され、高さ方向に隣り合う２以上の前記伝熱管に係合する伝熱管係合部を有する請求項３に記載の空気調和装置の室外機。
【請求項５】
前記第１吊下部材および前記第２吊下部材は、それぞれ、  柱状に形成された基部と、  前記基部から高さ方向に延び、フック状に形成された係止部と、を有し、  前記第３吊下部材は、  鈎状に形成された掛止部を有し、  前記連結部材は、  前記支持部の上面に一部が当接すると共に、  前記第１吊下部材の前記係止部の先端が挿入される第１溝部と、  前記第２吊下部材の前記係止部の先端が挿入される第２溝部と、  前記掛止部に係合する係合部と、を有する請求項２に記載の空気調和装置の室外機。
【請求項６】
前記第１熱交換器、前記第２熱交換器、および前記第３熱交換器では、それぞれ、  一端部から他端部に亘って延びる複数の伝熱管が高さ方向に並んでおり、  前記第１吊下部材、前記第２吊下部材、および前記第３吊下部材は、それぞれ、高さ方向に隣り合う複数の前記伝熱管に係合する伝熱管係合部を有する請求項５に記載の空気調和装置の室外機。
【請求項７】
前記吊下受け部は、  前記支持部の端部から上方に延び、前記連結部材の前記空気吸込口から前記室外熱交換器に向かう方向への動きを前記連結部材の前記室外熱交換器から前記空気吸込口に向かう方向への動きを規制する規制部を有する請求項３〜６の何れか一項に記載の空気調和装置の室外機。
【請求項８】
前記連結部材は、接着剤からなる請求項１又は２に記載の空気調和装置の室外機。
【請求項９】
前記連結部材は、ネジからなる請求項１又は２に記載の空気調和装置の室外機。
【請求項１０】
前記吊下部は、前記室外熱交換器の一端部から他端部までの長さ方向の中央部に配置されている請求項１〜９の何れか一項に記載の空気調和装置の室外機。
【請求項１１】
前記室外熱交換器は、長辺部と短辺部とを有し、  前記吊下部は、前記長辺部の上部に配置されている請求項１〜１０の何れか一項に記載の空気調和装置の室外機。
【請求項１２】
前記吊下部は、前記室外熱交換器の上部に複数配置されている請求項１〜１１の何れか一項に記載の空気調和装置の室外機。
【発明の詳細な説明】
【技術分野】
【０００１】  本発明は、熱交換器を有する空気調和装置の室外機に係り、特に熱交換器の支持構造に関する。
【背景技術】
【０００２】  ビル又は商業施設などに設置される空気調和装置の室外機は、筐体内に熱交換器を有している。熱交換器は、複数のフィンと、複数のフィンに直交するように配置された複数の伝熱管とを有する熱交換部が、上下方向に複数積層されて構成されている。【０００３】  ここで、熱交換器のフィンは、薄く形成されていることから、輸送時の振動等により他の部品と接触すると、容易に変形するため、風路を塞ぎ、熱交換性能の低下につながるという課題がある。また、熱交換器において、フィンの変形により風路の塞がれた領域は、熱交換時に生じる結露水の排出を妨げる。そして、残留した結露水が凍結する際に生じる体積膨張により、熱交換器が荷重を受け、熱交換器の破損につながるという課題がある。【０００４】  そこで、従来の室外機には、熱交換器の端部に板金部品を取り付け、板金部品を筐体で支持するように構成されたものがある（例えば、特許文献１参照）。特許文献１には、熱交換器の一端部における上部と下部とを、それぞれ、上部側板と下部側板とにより外胴などに固定する構成が開示されている。【０００５】  また、空気調和装置の室外機は、設置スペースの制約を受けることから、室外機同士を横に並べて設置させることがある。そのため、室外機は、風を側面から吸い込み、天面に設けられたファンによって上方に噴出するという構造も採られている。かかる構造の場合、室外機の側面における風速分布は、下部が低くなり、上部が高くなることから、風速の高い領域を有効に活用するため、熱交換器を室外機本体の側面における上部に配置する構成が提案されている（例えば、特許文献２参照）。特許文献２の室外機は、熱交換器を保持するための台座となる受け部材を、室外機本体の高さ方向における中央部に設けることで、熱交換器を室外機の上部に配置するようになっている。
【先行技術文献】
【特許文献】
【０００６】
【特許文献１】特開２００６−３１７０９９号公報
【特許文献２】特開２００１−２０１１１１号公報
【発明の概要】
【発明が解決しようとする課題】
【０００７】  しかしながら、特許文献１の室外機は、熱交換器の端部のみを支持する構成であるため、熱交換器の幅方向の中央部が輸送時の振動等でたわみ、他の部品と接触して変形するという課題がある。かかる状況は、サイズの大きな熱交換器を室外機に設けた場合、特に顕著となる。【０００８】  また、特許文献２の室外機は、熱交換器が下部で支持されるため、熱交換器下部のフィンと受け部材との接触により、熱交換器下部のフィンが座屈変形するという課題がある。さらに、受け部材が金属製である場合は、熱交換器下部のフィンと受け部材との接触により、フィンの塗装剥がれが生じ、フィンに腐食が発生するという課題がある。加えて、特許文献２の室外機は、熱交換器下部のフィンと受け部材とが接触していることから、熱交換時に生じる結露水等の排水不良が生じる。そのため、残留した結露水等が凍結する際に生じる体積膨張により、熱交換器が荷重を受け、熱交換器の破損につながるという課題がある。【０００９】  本発明は、上記のような課題を解決するためになされたものであり、輸送時の振動等に起因した熱交換器の変形、および熱交換器を下部で支持することによる上記諸々の弊害を抑制する空気調和装置の室外機を提供することを目的とする。
【課題を解決するための手段】
【００１０】  本発明に係る空気調和装置の室外機は、外気を吸い込む空気吸込口が側面に形成され、梁状の支持部をもつ吊下受け部を上部に備えた本体フレームと、空気吸込口に沿って本体フレームの内部に配設された第１熱交換器と、第１熱交換器の内側面に沿って配設された第２熱交換器と、を含む室外熱交換器と、第１熱交換器に係合する第１吊下部材と、第２熱交換器に係合する第２吊下部材と、を含む吊下部と、吊下受け部と吊下部とを連結する連結部材と、を有し、室外熱交換器は、吊下部および連結部材を介して吊下受け部により支持されている。
【発明の効果】
【００１１】  本発明によれば、本体フレームの上部の吊下受け部と、室外熱交換器に係合する吊下部とが、連結部材により連結されていることから、室外熱交換器を懸垂支持することができるため、輸送時の振動等に起因した熱交換器の変形を抑制すると共に、熱交換器を下部で支持することによる諸々の弊害を抑制することができる。
【図面の簡単な説明】
【００１２】
【図１】本発明の実施の形態１に係る空調調和装置の室外機の外観を例示する斜視図である。
【図２】本発明の実施の形態１に係る空調調和装置の冷媒回路の回路構成図である。
【図３】図１の室外熱交換器の概略構成を例示する斜視図である。
【図４】図３の一端掛止部材の周辺の構成を例示する拡大図である。
【図５】図３の他端掛止部材の周辺の構成を例示する拡大図である。
【図６】図１の室外機において、本体フレームの上部に第１熱交換器および第２熱交換器を取り付ける態様を例示する部分概略図である。
【図７】図６の吊下受け部の周辺の構成を例示する拡大図である。
【図８】図６に示す第１吊下部材と第２吊下部材と吊下受け部との位置関係を例示する拡大図である。
【図９】図８の吊下受け部と第１吊下部材と第２吊下部材とを連結部材によって連結した状態を例示する斜視図である。
【図１０】図９の連結部材の周辺を概略的に例示する部分断面図である。
【図１１】図１の本体ケーシングの背面に設けられた吊下部を例示する斜視図である。
【図１２】本発明の実施の形態２に係る空調調和装置の室外機につき、吊下受け部と第１吊下部材と第２吊下部材と第３吊下部材とを連結部材によって連結した状態を例示する斜視図である。
【図１３】図１２に示す第１吊下部材と第２吊下部材と第３吊下部材と吊下受け部との位置関係を例示する拡大図である。
【図１４】図１２に示す第１吊下部材、第２吊下部材、および第３吊下部材と、各伝熱管との位置関係を例示する斜視図である。
【図１５】図１２の連結部材の周辺を概略的に例示する部分断面図である。
【図１６】本発明の実施の形態２の変形例に係る構造を例示する説明図である。
【発明を実施するための形態】
【００１３】実施の形態１．  図１は、本発明の実施の形態１に係る空調調和装置の室外機の外観を例示する斜視図である。図１では、室外機１００を基準として、前後方向をｘ軸方向とし、左右方向をｙ軸方向とし、高さ方向をｚ軸方向とする。以下の各図においても同様とする。また、図１の室外機１００について、ｘ軸正側の面を前面とし、ｘ軸正側の面を背面とし、ｙ軸正側の面を右側面とし、ｙ軸負側の面を左側面とし、ｚ軸正側の面を天面とし、ｚ軸負側の面を底面とする。
【００１４】  図１に示すように、室外機１００の本体フレーム２０は、底板部２と、４つの柱部３と、前面パネル４ａと右側面パネル４ｂとを含む４つのパネルと、フィンガード５と、２つの天面パネル６と、２つのファンガード７と、を有している。本体フレーム２０は、上記の４つのパネルとして、前面パネル４ａおよび右側面パネル４ｂの他に、背面パネル（図示せず）と、左側面パネル（図示せず）と、を有している。背面パネルは、室外機１００の背面側において、前面パネル４ａと対向するように配置されている。左側面パネルは、室外機１００の左側面側において、右側面パネル４ｂと対向するように配置されている。４つのパネルは、それぞれ、各柱部３の間に取り付けられており、本体フレーム２０にネジ等で固定されている。
【００１５】  底板部２は、平面視において四角形状となるように形成され、本体フレーム２０の底面側に配置されている。ここで、平面視とは、図１のｚ軸方向からみることをいい、ＸＹ平面における断面視と同等である。４つの柱部３は、それぞれ、底板部２の４つの角のいずれかに立設されている。各柱部３の下端部は、それぞれ、底板部２の四隅に、ボルト等の連結具によって固定されている。
【００１６】  図１では、前面パネル４ａの上部において、室外機１００の前面に沿って立設されたフィンガード５を例示している。フィンガード５は、通風自在となるように複数の開口を有しており、室外熱交換器３０を構成するフィン３４ｆ（図１では図示せず）を保護するものである。また、図１では図示していないが、本体フレーム２０は、背面パネルの上部において、室外機１００の背面に沿って立設されたフィンガード５を有している。もっとも、本体フレーム２０は、右側面パネル４ｂの上部において、室外機１００の右側面に沿って立設されたフィンガード５を有していてもよい。同様に、本体フレーム２０は、左側面パネルの上部において、室外機１００の左側面に沿って立設されたフィンガード５を有していてもよい。
【００１７】  ２つの天面パネル６は、それぞれ、平面視において外周が四角形状に形成されており、中央部が開口している。２つの天面パネル６は、底板部２と対向するようにｘｙ平面に沿って配置され、その全体の外周は、底板部２と同様の形状および大きさとなっている。天面パネル６は、各柱部３および各フィンガード５のそれぞれの上端部に固定されている。２つの天面パネル６全体の四隅は、柱部３の上端部に、ボルト等の連結具によって固定されている。
【００１８】  ２つのファンガード７は、それぞれ、異なる天面パネル６に対応づけられている。各ファンガード７は、それぞれ、対応する天面パネル６の中央部の開口を覆うように設けられており、送風ファン５０（図１では図示せず）を保護するものである。ファンガード７は、送風ファン５０を覆うように円筒形状となっている。
【００１９】  フィンガード５で覆われている本体フレーム２０の前面、およびフィンガード５で覆われていない本体フレーム２０の両側面および背面は、室外機１００が空気を吸い込む空気吸込口１１となっている。また、ファンガード７の通気部分は、室外機１００が空気を吹き出す空気吹出口１２となっている。空気吹出口１２の下方における本体フレーム２０内の空間には、２台の送風ファン５０が配設されている。もっとも、室外機１００は、１台の送風ファン５０を有するように構成してもよい。
【００２０】  室外熱交換器３０は、平面視においてＬ字状となるように形成された２つの熱交換器を組み合わせて構成したものである。室外熱交換器３０のうち、図１では、室外機１００の前面および右側面に沿うように形成された熱交換器を示している。室外熱交換器３０は、さらに、室外機１００の背面および左側面に沿うように形成された熱交換器を有している。
【００２１】  図２は、本発明の実施の形態１に係る空調調和装置の冷媒回路の回路構成図である。図２に示すように、空気調和装置３００は、室外機１００と室内機２００とを有している。室外機１００は、圧縮機４０と、四方弁４１と、室外熱交換器３０と、アキュームレータ４２と、２台の送風ファン５０と、を有している。室内機２００は、室内熱交換器４３と、膨張弁４４と、室内機ファン（図示せず）と、を有している。室内機ファンは、外部から流入する空気が室内熱交換器４３を通過する空気の流れを形成するものである。
【００２２】  送風ファン５０は、外部から流入する空気が室外熱交換器３０を通過する空気の流れを形成するものである。より具体的に、送風ファン５０は、室外熱交換器３０の上方の位置に設けられ、送風ファン５０を回転させることにより、空気の流れが引き起こされる。すなわち、送風ファン５０が回転すると、外部の空気は、空気調和装置３００の室外機１００の前面、背面、および両側面の４方向に形成された空気吸込口１１から水平方向に吸い込まれて室外熱交換器３０を通り抜け、本体フレーム２０内に吸い込まれる。本体フレーム２０内では、空気の流れが高さ方向に変化する。つまり、本体フレーム２０内に吸い込まれた空気は、その後、高さ方向の流れにのり、送風ファン５０を通って本体フレーム２０の上部の空気吹出口１２から上向きに吹き出される。
【００２３】  ところで、室外熱交換器３０を通過する空気の風速は、送風ファン５０と室外熱交換器３０との位置関係によって変化する。すなわち、空気吸込口１１から吸い込まれて室外熱交換器３０を通過する吸込空気の流れは、送風ファン５０に近い室外熱交換器３０の上側ほど速くなり、室外熱交換器３０の下側ほど遅くなる。そのため、送風ファン５０が室外機１００の上方に設けられている場合において、仮に、室外熱交換器３０を室外機１００の下方又は上下方向の全域に設けると、効率的に熱交換を行うことができない領域が多くなり、室外熱交換器３０の熱交換効率が低下する。この点、本実施の形態１における室外機１００は、上方の位置に、前面、背面、右側面、および左側面に沿うように形成された室外熱交換器３０を有しているため、効率的に熱交換を行うことができる。
【００２４】  圧縮機４０は、例えばインバータによって駆動され、冷媒を圧縮するものである。四方弁４１は、冷媒回路１０を循環する冷媒の流路を切り替えるものである。室外熱交換器３０は、例えばフィンアンドチューブ型熱交換器からなり、空気と冷媒との間で熱交換させるものである。室外熱交換器３０は、ヘッダ部３５と、ディストリビュータ３６とを含んで構成されている。
【００２５】  アキュームレータ４２は、圧縮機４０の吸入側に設けられており、液冷媒とガス冷媒とを分離し、圧縮機４０がガス冷媒を吸入するように調整するものである。室内熱交換器４３は、例えばフィンアンドチューブ型熱交換器からなり、空気と冷媒との間で熱交換させるものである。膨張弁４４は、例えば電子膨張弁からなり、冷媒を減圧して膨張させるものである。
【００２６】  すなわち、空気調和装置３００は、圧縮機４０、四方弁４１、室外熱交換器３０、膨張弁４４、室内熱交換器４３、およびアキュームレータ４２が冷媒配管１０ａを介して接続され、冷媒が循環する冷媒回路１０を備えている。つまり、室外機１００内に配設される圧縮機４０および配管類等は、室内機２００の室内熱交換器４３および膨張弁４４と接続されて、冷媒が循環する冷媒回路１０を構成している。本実施の形態１において、冷媒回路１０を構成する圧縮機４０および配管類等は、図１に示す底板部２上に配置されている。
【００２７】  また、室外機１００は、圧縮機４０および四方弁４１などの動作を制御する制御装置６０を有している。制御装置６０は、４つのパネルの内側に配設されている。制御装置６０は、膨張弁４４の動作を制御する機能を有していてもよい。また、室内機２００が膨張弁４４の動作を制御する室内制御装置を有するようにし、制御装置６０が室内制御装置と連携して冷媒回路１０を制御するようにしてもよい。
【００２８】  空気調和装置３００の冷房運転時には、四方弁４１は、図２の実線で示す流路を形成する。すなわち、冷媒回路１０において、冷房運転時は、圧縮機４０で高温高圧に圧縮されたガス冷媒が、四方弁４１を経て室外熱交換器３０に送り込まれる。室外熱交換器３０に送り込まれたガス冷媒は、送風ファン５０の回転により外部から吸い込まれる空気によって冷却され、凝縮されることにより、高圧の液冷媒に変化する。室外熱交換器３０から流出する液冷媒は、室内機２００に送られ、膨張弁４４によって断熱膨張したのち、室内熱交換器４３において、室内機ファンの回転により吸い込まれる空気から熱を奪って蒸発し、低圧のガス冷媒に変化する。この低圧のガス冷媒は、四方弁４１を経てアキュームレータ４２で気体と液体とに分離され、冷媒ガスのみが圧縮機４０に吸入される。そして、冷媒回路１０は、再度、冷媒の圧縮、凝縮、膨張、および蒸発という一連の冷凍サイクル動作を上記のように繰り返すようになっている。
【００２９】  空気調和装置３００の暖房運転時には、四方弁４１は、図２の破線で示す流路を形成する。すなわち、暖房運転時は、四方弁４１の冷媒流路が切り替えられ、冷媒の流れが冷房運転時とは逆になる。つまり、冷媒回路１０において、暖房運転時は、圧縮機４０で高温高圧に圧縮されたガス冷媒が、四方弁１５を経て室内熱交換器４３に送り込まれる。室内熱交換器４３に送り込まれたガス冷媒は、室内機ファンの回転により外部から吸い込まれる空気によって冷却され、凝縮されることにより、高圧の液冷媒に変化する。室内熱交換器４３から流出する液冷媒は、膨張弁４４で断熱膨張して低温低圧の二相冷媒となったのち、室外熱交換器３０に送り込まれる。室外熱交換器３０では、送風ファン５０の回転により吸い込まれる空気から熱を奪って蒸発し、低圧のガス冷媒に変化する。この低圧のガス冷媒は、四方弁４１を経てアキュームレータ４２で気体と液体とに分離され、冷媒ガスのみが圧縮機４０に吸入される。そして、冷媒回路１０は、再度、冷媒の圧縮、凝縮、膨張、および蒸発という一連の冷凍サイクル動作を上記のように繰り返すようになっている。
【００３０】  上記のように、室外熱交換器３０において、冷房運転時には、ガス冷媒が液冷媒に凝縮され、暖房運転時には、二相冷媒がガス冷媒に蒸発されることとなる。
【００３１】  図３は、図１の室外熱交換器の概略構成を例示する斜視図である。ここで、室外熱交換器３０は、上述したように、平面視Ｌ字状である２つの熱交換器が組み合わされて構成され、全体として平面視矩形状となっているが、図３では１つの熱交換器を例示すると共に、これを室外熱交換器３０として説明する。
【００３２】  室外熱交換器３０は、ｙ軸に沿った長辺部Ｌと、ｘ軸に沿った短辺部Ｓとにより、平面視でのＬ字形状をなしている。室外熱交換器３０は、送風ファン５０によって生成される吸込空気の流れの風上側に配置される第１熱交換器３１と、第１熱交換器３１に対し、吸込空気の流れの風下側に配置される第２熱交換器３２と、を有している。
【００３３】  第１熱交換器３１は、空気吸込口１１に沿って本体フレーム２０の内部に配設されている。第２熱交換器３２は、第１熱交換器３１の内側面に沿って配設されている。すなわち、空気吸込口１１から吸い込まれた空気は、第１熱交換器３１と第２熱交換器３２とが重なっている部分において、まず第１熱交換器３１を通過し、次に第２熱交換器３２を通過して、本体フレーム２０内に吸い込まれる。
【００３４】  また、第１熱交換器３１および第２熱交換器３２は、複数の板状のフィン３４ｆを備えた伝熱管３４と、伝熱管３４が接続された配管を含むヘッダ部３５と、分配器であるディストリビュータ３６とが接続されて構成されている。図３では、簡単のため、フィン３４ｆを部分的に例示している。
【００３５】  ヘッダ部３５は、第１熱交換器３１の伝熱管３４が接続された第１ヘッダ３５ａと、第２熱交換器３２の伝熱管３４が接続された第２ヘッダ３５ｂと、を有している。ディストリビュータ３６は、室外熱交換器３０が凝縮器として機能する冷房運転時には、伝熱管３４から流入する冷媒を合流させて、室内機２００側へ流出させるものである。ディストリビュータ３６は、室外熱交換器３０が蒸発器として機能する暖房運転時には、室内機２００側から流入する冷媒を伝熱管３４に分配するものである。ディストリビュータ３６は、図示はしていないが、第１熱交換器３１と第２熱交換器３２との各々に対応づけて設けられている。
【００３６】  すなわち、冷房運転時には、圧縮機４０で圧縮された高温高圧のガス冷媒が、第１ヘッダ３５ａと第２ヘッダ３５ｂとに分岐して流れ、第１熱交換器３１および第２熱交換器３２の伝熱管３４内で熱交換し、第１熱交換器３１および第２熱交換器３２の各々のディストリビュータ３６から流出して合流する。一方、暖房運転時には、室内機２００から流入した低温低圧の二相冷媒が、第１熱交換器３１および第２熱交換器３２の各々のディストリビュータ３６に分岐して流れ、第１熱交換器３１および第２熱交換器３２の伝熱管３４内で蒸発し、第１ヘッダ３５ａおよび第２ヘッダ３５ｂから流出して合流し、ガス冷媒として流出していく。第１熱交換器３１および第２熱交換器３２は、伝熱管３４からディストリビュータ３６までの配管径又は長さを変えることにより、冷媒流量の調整を行うことができる。
【００３７】  また、室外機１００は、室外熱交換器３０を本体フレーム２０に掛止する部材として、複数の一端掛止部材７１と、複数の他端掛止部材７２と、複数の吊下部８０と、を有している。一端掛止部材７１は、室外熱交換器３０の一端部に取り付けられている。他端掛止部材７２は、室外熱交換器３０の他端部に取り付けられている。各吊下部８０は、それぞれ、第１吊下部材８１と第２吊下部材８２とを有している。第１吊下部材８１および第２吊下部材８２は、室外熱交換器３０の上部に取り付けられている。
【００３８】  ここで、図３では、平面視Ｌ字状に曲げられた室外熱交換器３０における長辺部Ｌの２点に吊下部８０が設けられた場合を例示している。この場合、２点間の距離が６００ｍｍを超えないように、各吊下部８０の配置を設定するとよい。
【００３９】  図４は、図３の一端掛止部材の周辺の構成を例示する拡大図である。図５は、図３の他端掛止部材の周辺の構成を例示する拡大図である。図４では、一端掛止部材７１と、一端掛止部材７１を固定する柱部３との位置関係を示している。図５では、他端掛止部材７２と、他端掛止部材７２を固定する柱部３との位置関係を示している。なお、図４および図５では、フィン３４ｆを省略している。以下の各図においても同様である。
【００４０】  図４および図５に示すように、一端掛止部材７１および他端掛止部材７２は、それぞれ、本体フレーム２０の四方に設けられた柱部３に掛止される。一端掛止部材７１は、伝熱管３４を支持した状態で、柱部３に設けられた切欠き部３ａにネジで締結されるものである。他端掛止部材７２は、伝熱管３４を支持した状態で、柱部３に設けられた切欠き部３ａにネジで締結されるものである。図４では、柱部３に切欠き部３ａが設けられている場合を例示しているが、これに限らず、柱部３には、切欠き部３ａの代わりに、ネジが貫通する穴が設けられていてもよい。
【００４１】  図６は、図１の室外機において、本体フレームの上部に第１熱交換器および第２熱交換器を取り付ける態様を例示する部分概略図である。図７は、図６の吊下受け部の周辺の構成を例示する拡大図である。図６および図７に示すように、以降では、第１熱交換器３１の伝熱管３４を第１伝熱管３４ａとし、第２熱交換器３２の伝熱管３４を第２伝熱管３４ｂとする。なお、図７では第１吊下部材８１を省略している。
【００４２】  図６および図７に示すように、本体フレーム２０の上部には、吊下受け部２１が形成されている。吊下受け部２１は、第１吊下部材８１および第２吊下部材８２と、後述する連結部材７５とを介して、室外熱交換器３０を支持するものである。吊下受け部２１は、断面視Ｌ字状に形成されており、水平方向に延びる梁状の支持部２２と、支持部２２の端部から上方に延びる規制部２３と、を有している。支持部２２には、第１吊下部材８１が挿入される挿入穴２２ａが形成されている。規制部２３は、少なくとも、連結部材７５の空気吸込口１１から室外熱交換器３０に向かう方向への動きを規制するものである。
【００４３】  図８は、図６に示す第１吊下部材８１と第２吊下部材８２と吊下受け部２１との位置関係を例示する拡大図である。第１吊下部材８１は、基部８１ａと、伝熱管係合部８１ｂと、係止部８１ｃと、ガイド部８１ｄと、を有している。基部８１ａは、柱状に形成されている。伝熱管係合部８１ｂは、基部８１ａに接続され、第１伝熱管３４ａに係合するものである。ここで、第１伝熱管３４ａは、第１熱交換器３１の一端部から他端部に亘って延びる複数の伝熱管が高さ方向に並んで形成されている。すなわち、伝熱管係合部８１ｂは、第１伝熱管３４ａを構成する高さ方向に並んだ複数の伝熱管のうち、高さ方向に隣り合う２以上の伝熱管に係合する形状となっている。つまり、伝熱管係合部８１ｂは、第１伝熱管３４ａを構成する複数の伝熱管を、高さ方向に並んだ複数の部材で挟み込むようになっている。
【００４４】  係止部８１ｃは、基部８１ａから高さ方向に延び、フック状に形成されており、自重および第１熱交換器３１の荷重を支えるものである。ガイド部８１ｄは、基部８１ａと係止部８１ｃとの境界部分において、水平方向に突起するように設けられ、連結部材７５を案内するものである。すなわち、第１吊下部材８１は、第１熱交換器３１に係合するものであり、図８に示すように、第１熱交換器３１に取り付けられる。
【００４５】  第２吊下部材８２は、基部８２ａと、伝熱管係合部８２ｂと、係止部８２ｃと、ガイド部８２ｄと、を有している。基部８２ａは、柱状に形成されている。伝熱管係合部８２ｂは、基部８２ａに接続され、第２伝熱管３４ｂに係合するものである。ここで、第２伝熱管３４ｂは、第２熱交換器３２の一端部から他端部に亘って延びる複数の伝熱管が高さ方向に並んで形成されている。すなわち、伝熱管係合部８２ｂは、第２伝熱管３４ｂを構成する高さ方向に並んだ複数の伝熱管のうち、高さ方向に隣り合う２以上の伝熱管に係合する形状となっている。つまり、伝熱管係合部８２ｂは、第２伝熱管３４ｂを構成する複数の伝熱管を、高さ方向に並んだ複数の部材で挟み込むようになっている。
【００４６】  係止部８２ｃは、基部８２ａから高さ方向に延び、フック状に形成されており、自重および第２熱交換器３２の荷重を支えるものである。ガイド部８２ｄは、基部８２ａと係止部８２ｃとの境界部分において、水平方向に突起するように設けられ、連結部材７５を案内するものである。すなわち、第２吊下部材８２は、第２熱交換器３２に係合するものであり、図８に示すように、第２熱交換器３２に取り付けられる。
【００４７】  図９は、図８の吊下受け部と第１吊下部材と第２吊下部材とを連結部材によって連結した状態を例示する斜視図である。図９に示すように、室外機１００は、吊下受け部２１と、第１吊下部材８１及び第２吊下部材８２とを連結する連結部材７５を有している。連結部材７５には、係止部８１ｃの先端が挿入される第１溝部７５ａと、係止部８２ｃの先端が挿入される第２溝部７５ｂと、規制部２３が挿入される第３溝部７５ｃと、が形成されている。連結部材７５は、下面の一部がガイド部８１ｄおよび支持部２２に当接している。
【００４８】  連結部材７５は、吊下受け部２１と第１吊下部材８１と第２吊下部材８２とによって形成された空間に（図８参照）、ｙ軸正側である右側面側、もしくはｙ軸負側である左側面側から挿入されて、図９に示すように組み込まれる。これにより、室外熱交換器３０は、吊下部８０および連結部材７５を介して、吊下受け部２１により支持される。
【００４９】  図１０は、図９の連結部材の周辺を概略的に例示する部分断面図である。図１０に示すように、係止部８１ｃの先端は、第１溝部７５ａに挿入されるため、第１吊下部材８１を連結部材７５に安定的に固定することができる。また、係止部８２ｃの先端は、第２溝部７５ｂに挿入されるため、第２吊下部材８２を連結部材７５に安定的に固定することができる。さらに、規制部２３は、第３溝部７５ｃに挿入されるため、連結部材７５のｘ軸正方向およびｘ軸負方向への動きを規制することができる。ここで、ｘ軸負方向は、空気吸込口１１から室外熱交換器３０に向かう方向である。なお、連結部材７５は、吊下受け部２１と吊下部８０とによって形成された空間に挿入される際、係止部８１ｃの先端、ガイド部８１ｄ、吊下受け部２１、係止部８２ｃの先端、およびガイド部８２ｄによって案内される。
【００５０】  図１１は、図１の本体ケーシングの背面に設けられた吊下部を例示する斜視図である。図１１では、室外熱交換器３０および連結部材７５を省略している。上記の図３から図１０を用いた説明では、室外熱交換器３０を構成する熱交換器のうち、室外機１００の前面および右側面に沿うように形成された熱交換器について説明したが、室外機１００の背面および左側面に沿うように形成された熱交換器も、吊下部８０および連結部材７５を介して吊下受け部２１により支持される。すなわち、室外機１００は、背面側の吊下受け部２１近傍に、第１吊下部材８１と第２吊下部材８２とを含む吊下部８０が配置される。そして、図１１では図示していないが、吊下受け部２１と第１吊下部材８１と第２吊下部材８２とによって形成された空間に、連結部材７５が挿入される。これにより、室外機１００の背面および左側面に沿うように形成された室外熱交換器３０は、吊下部８０および連結部材７５を介して、吊下受け部２１により支持される。
【００５１】  以上のように、室外機１００は、本体フレーム２０の上部の吊下受け部２１と、室外熱交換器３０に係合する吊下部８０とが、連結部材７５により連結されていることから、室外熱交換器３０を懸垂支持することができる。そのため、輸送時の振動等に起因した室外熱交換器３０の変形を抑制すると共に、熱交換器を下部で支持することによる諸々の弊害を抑制することができる。
【００５２】  すなわち、例えば、室外熱交換器３０の端部のみを支持する構成では、室外熱交換器３０の一端部から他端部までの幅方向の中央部がたわんで他の部品と接触し、フィン３４ｆおよび伝熱管３４等が変形するおそれがある。この点、本実施の形態１における室外機１００では、室外熱交換器３０が、吊下部８０および連結部材７５を介して吊下受け部２１により支持されていることから、室外熱交換器３０の幅方向の中央部のたわみを防ぐことができるため、フィン３４ｆおよび伝熱管３４等の変形を抑制することができる。また、室外機１００は、室外熱交換器３０を懸垂支持するという構成を採ったことから、室外熱交換器３０を台座に載置する必要がないため、室外熱交換器３０下部のフィン３４ｆの座屈変形を防ぐと共に、熱交換時に生じる結露水等の排水性を高めることができる。つまり、室外機１００によれば、室外熱交換器３０を、室外機１００本体の高さ方向における上部に配置しながら、室外熱交換器３０の変形等の不都合を抑制することができる。
【００５３】  加えて、室外機１００において、室外熱交換器３０は、一端掛止部材７１および他端掛止部材７２により、両端部が柱部３に固定されている。したがって、室外熱交換器３０の支持荷重を両端部と上部とに分散することができることから、室外熱交換器３０を安定的に支持することができるため、室外熱交換器３０の変形をさらに有効に抑制することができる。ところで、室外機１００の室外熱交換器３０の下部には、室外熱交換器３０に発生するドレン水を導くドレンパン（図示せず）が設けられている。この点、室外機１００では、室外熱交換器３０が、一端掛止部材７１および他端掛止部材７２と、第１吊下部材８１および第２吊下部材８２とを用いて支持されていることから、室外熱交換器３０をドレンパンに載置する必要がないため、室外熱交換器３０の下部とドレンパンとの接触を防ぎ、良好な排水性を確保することができる。
【００５４】  ここで、吊下受け部２１には、第１吊下部材８１との干渉を防ぐための挿入穴２２ａが設けられているが、挿入穴２２ａの代わりに、第１吊下部材８１との干渉を防ぐ切欠きが設けられていてもよい。また、吊下受け部２１は、吊下部８０との連結状態によっては、挿入穴２２ａ又は切欠きを設けずに構成してもよい。すなわち、第１吊下部材８１および第２吊下部材８２は、吊下受け部２１に直接掛止するようにしてもよい。例えば、連結部材７５として接着剤を採用し、第１吊下部材８１および第２吊下部材８２を吊下受け部２１に接着することにより、吊下受け部２１と吊下部８０とを連結するようにしてもよい。また、連結部材７５としてネジ等の締結手段を採用し、この締結手段により第１吊下部材８１および第２吊下部材８２を吊下受け部２１に固定することで、吊下受け部２１と吊下部８０とを連結するようにしてもよい。このようにすれば、室外熱交換器３０を吊り下げる構造を採る場合の配置の自由度が増すと共に、空気の流路を妨げる領域を少なくすることができる。
【００５５】  また、図３では、吊下部８０のうちの一方（ｙ軸正側の吊下部８０）が、室外熱交換器３０の一端部から他端部までの幅方向の中央部に設けられた場合を例示している。このように、室外熱交換器３０を幅方向の中央部で支持するようにすれば、室外熱交換器３０の上下方向のたわみを抑制することができる。また、吊下部８０と、一端掛止部材７１および他端掛止部材７２との位置関係によって、室外熱交換器３０の支持荷重がバランスよく分散されるため、より安定的に室外熱交換器３０を支持することができる。
【００５６】  もっとも、図３では、２つの吊下部８０が設けられた場合を例示しているが、これに限らず、室外機１００は、１つの吊下部８０を有していてもよく、３つ以上の吊下部８０を有していてもよい。また、吊下部８０は、室外熱交換器３０の短辺部Ｓに設けられていてもよい。すなわち、室外機１００は、１つ又は複数の吊下部８０および連結部材７５を介して、吊下受け部２１により、室外熱交換器３０を一箇所又は複数の箇所から懸垂支持するようにしてもよい。もっとも、複数の吊下部８０を用いるようにすれば、室外熱交換器３０の支持荷重をより細かく分散することができるため、室外熱交換器３０をより安定的に支持することができることから、室外熱交換器３０の変形をより精度よく抑制することができる。
【００５７】実施の形態２．  本実施の形態２に係る空気調和装置の室外機の全体的な構成は、図１および図２を参照して説明した空気調和装置３００と同様であるため、以下では同一の符号を用いて図面および説明は省略する。また、前述した実施の形態１と同等の構成部材については同一の符号を用いて説明は省略する。
【００５８】  図１２は、本発明の実施の形態２に係る空調調和装置の室外機につき、吊下受け部と第１吊下部材と第２吊下部材と第３吊下部材とを連結部材によって連結した状態を例示する斜視図である。図１２では、構造を確認しやすくするために、フィン３４ｆ等を省略している。以下の各図においても同様である。
【００５９】  図１２に示すように、本実施の形態２の室外熱交換器３０は、熱交換性能を向上させるために、第１熱交換器３１と第２熱交換器３２との間に、第１熱交換器３１の内側面に沿って配設された第３熱交換器３３をさらに有している。また、本実施の形態２の吊下部８０は、第３熱交換器３３に係合する第３吊下部材８３をさらに有している。そして、本実施の形態２の室外機１００は、吊下受け部２１と、第１吊下部材８１、第２吊下部材８２、および第３吊下部材８３とを連結する連結部材１７５を有している。第３熱交換器３３は、一端部から他端部に延びる複数の伝熱管が高さ方向に並ぶ形状を備えた第３伝熱管３４ｃを含んでいる。
【００６０】  第３吊下部材８３は、第１熱交換器３１の第１伝熱管３４ａと、第３熱交換器３３の第３伝熱管３４ｃとによって狭持される形で配置されている。第３吊下部材８３は、伝熱管係合部８３ｂと、掛止部８３ｃと、ガイド部８３ｄと、を有している。伝熱管係合部８３ｂは、第３伝熱管３４ｃに係合するものである。より具体的に、伝熱管係合部８３ｂは、第３伝熱管３４ｃを構成する高さ方向に並んだ複数の伝熱管のうち、隣り合う２以上の伝熱管に係合する形状となっている。つまり、伝熱管係合部８３ｂは、第３伝熱管３４ｃを構成する複数の伝熱管を、高さ方向に並んだ複数の部材で挟み込むようになっている。また、第３吊下部材８３は、伝熱管係合部８３ｂを構成する複数の部材のうちで最も上部に位置するものと、ガイド部８３ｄとによって、第３伝熱管３４ｃを構成する最も上部の伝熱管を挟み込むようになっている。
【００６１】  掛止部８３ｃは、伝熱管係合部８３ｂから高さ方向に延び、鈎状に形成されており、自重および第３熱交換器３３の荷重を支えるものである。ガイド部８３ｄは、伝熱管係合部８３ｂと掛止部８３ｃとの境界部分において、水平方向に突起するように設けられ、連結部材１７５を案内するものである。すなわち、第３吊下部材８３は、第３熱交換器３３に係合するものであり、図１２に示すように、第３熱交換器３３に取り付けられる。
【００６２】  連結部材１７５は、規制部２３に隣接する規制壁１７５ｃと、掛止部８３ｃに係合する係合部１７５ｄと、をさらに有している。連結部材１７５は、下面の一部がガイド部８１ｄおよび支持部２２に当接している。より具体的に、連結部材１７５は、室外熱交換器３０に平行な側壁の下端部がガイド部８１ｄの上面に当接し、規制壁１７５ｃの下端部が支持部２２の上面に当接している。
【００６３】  連結部材１７５は、吊下受け部２１と第１吊下部材８１と第２吊下部材８２と第３吊下部材８３によって形成された空間に、ｙ軸正側もしくはｙ軸負側から挿入されて、図１２に示すように組み込まれる。
【００６４】  図１３は、図１２に示す第１吊下部材と第２吊下部材と第３吊下部材と吊下受け部との位置関係を例示する拡大図である。図１４は、図１２に示す第１吊下部材、第２吊下部材、および第３吊下部材と、各伝熱管との位置関係を例示する斜視図である。図１４は、図１３とは反対側から第１吊下部材８１、第２吊下部材８２、および第３吊下部材８３をみた様子である。図１３および図１４に示すように、第３吊下部材８３は、第１熱交換器３１の第１伝熱管３４ａと、第３熱交換器３３の第３伝熱管３４ｃとによって挟持されている。
【００６５】  図１５は、図１２の連結部材の周辺を概略的に例示する部分断面図である。図１５に示すように、係止部８１ｃの先端は、第１溝部７５ａに挿入されるため、第１吊下部材８１を連結部材１７５に安定的に固定することができる。また、係止部８２ｃの先端は、第２溝部７５ｂに挿入されるため、第２吊下部材８２を連結部材１７５に安定的に固定することができる。さらに、規制部２３は、規制壁１７５ｃに隣接しているため、連結部材１７５の空気吸込口１１から室外熱交換器３０に向かう方向への動きを規制することができる。なお、連結部材１７５は、吊下受け部２１と吊下部８０とによって形成された空間に挿入される際、係止部８１ｃの先端、ガイド部８１ｄ、吊下受け部２１、ガイド部８３ｄ、係止部８２ｃの先端、およびガイド部８２ｄによって案内される。
【００６６】  以上のように、本実施の形態２における室外機１００は、本体フレーム２０の上部の吊下受け部２１と、室外熱交換器３０に係合する吊下部８０とが、連結部材１７５により連結されていることから、室外熱交換器３０を懸垂支持することができる。そのため、輸送時の振動等に起因した室外熱交換器３０の変形を抑制すると共に、熱交換器を下部で支持することによる諸々の弊害を抑制することができる。
【００６７】  ここで、本実施の形態２の室外熱交換器３０は、空気吸込口１１から吸込まれた空気が通る方向に３枚の熱交換器を有しているため、送風ファン５０に近い位置の熱交換領域を増加させ、効率的に熱交換を行うことができる。また、従来は、３枚の熱交換器を並べて構成した複合型の熱交換器には、支持構造を追加することが困難であったが、本実施の形態２における室外機１００は、第３吊下部材８３を組み込むことにより、室外熱交換器３０の懸垂支持を容易に実現することができる。もっとも、第３吊下部材８３と同様の形状の吊下部材をさらに組み込むと共に、吊下部材の数、形状、および位置関係に応じて連結部材１７５の形状を変形することにより、４枚以上の熱交換器を並べて構成した室外熱交換器３０についても、上記同様に懸垂支持することができる。すなわち、室外機１００は、３枚以上の熱交換器を並べて構成した室外熱交換器３０を有する場合でも、輸送時の振動等に起因した室外熱交換器３０の変形を抑制することができる。そして、室外熱交換器３０下部に接触する部材がないため、排水性も良好となる。他の効果などについては、実施の形態１と同様である。
【００６８】  ところで、吊下受け部２１には、第１吊下部材８１との干渉を防ぐための挿入穴２２ａが設けられているが、挿入穴２２ａの代わりに、第１吊下部材８１との干渉を防ぐ切欠きが設けられていてもよい。また、吊下受け部２１は、吊下部８０との連結状態によっては、挿入穴２２ａ又は切欠きを設けずに構成してもよい。すなわち、第１吊下部材８１、第２吊下部材８２、および第３吊下部材８３は、吊下受け部２１に直接掛止するようにしてもよい。例えば、連結部材１７５として接着剤を採用し、第１吊下部材８１、第２吊下部材８２、および第３吊下部材８３を吊下受け部２１に接着することにより、吊下受け部２１と吊下部８０とを連結するようにしてもよい。また、連結部材１７５としてネジ等の締結手段を採用し、この締結手段により第１吊下部材８１、第２吊下部材８２、および第３吊下部材８３を吊下受け部２１に固定することで、吊下受け部２１と吊下部８０とを連結するようにしてもよい。このようにすれば、室外熱交換器３０を吊り下げる構造を採る場合の配置の自由度が増すと共に、空気の流路を妨げる領域を少なくすることができる。
【００６９】  また、図１２〜図１５では、第３吊下部材８３が、第１熱交換器３１の第１伝熱管３４ａと、第３熱交換器３３の第３伝熱管３４ｃとによって挟持された構成を例示しているが、これに限定されるものではない。第３吊下部材８３は、第２熱交換器３２の第２伝熱管３４ｂと、第３熱交換器３３の第３伝熱管３４ｃとによって挟持されるようにしてもよい。すなわち、第３吊下部材８３は、ｚ軸を中心として反転した状態で設けるようにしてもよい。この場合、係合部１７５ｄを、掛止部８３ｃの形状に対応づけて形成するようにするとよい。
【００７０】＜変形例＞  図１６は、本発明の実施の形態２の変形例に係る構造を例示する説明図である。上記各実施の形態では、室外熱交換器３０の上部を懸垂支持する場合を例示したが、これと併せて、室外熱交換器３０の側面部又は下部の一部を支持するように構成してもよい。例えば、図１６に示すように、本体フレーム２０に室外熱交換器３０の下部の一部を支持する土台部２５を設けるようにしてもよい。図１６に例示するように、長辺部Ｌと短辺部Ｓとの境界部分、すなわち、比較的強度の高い湾曲した部分などを、土台部２５によって支持するとよい。
【００７１】  このように、室外熱交換器３０を支持する箇所をさらに増やすようにすれば、支持荷重をさらに分散させることができる。そのため、輸送時の振動等による室外熱交換器３０の変形をさらに抑制することができる。もっとも、室外熱交換器３０の下部を支持する構成を採る場合は、仮に、排水不良による氷結が生じても、これを融解および排水することが必要である。そのため、例えば、氷結自体を生じさせないようにするために、土台部２５を熱伝導率の低い材料で構成するようにするとよい。熱伝導率の低い材料としては、例えば、アクリロニトリルスチレンなどの樹脂、又はエチレンプロピレンジエンなどのゴムを採用することができる。また、生じた氷結を融解させるヒータを土台部２５に設けるようにしてもよい。
【００７２】  ところで、図１６では、３つの熱交換器からなる室外熱交換器３０の下部の一部を土台部２５によって支える場合を例示したが、これに限らず、実施の形態１で説明したような２つの熱交換器からなる室外熱交換器３０の下部の一部を土台部２５によって支えるようにしてもよい。
【００７３】  上述した実施の形態は、空気調和装置の室外機における好適な具体例であり、本発明の技術的範囲は、これらの態様に限定されるものではない。例えば、上記各実施の形態では、１つの長辺部Ｌと１つの短辺部Ｓとを有する平面視Ｌ字状の室外熱交換器３０を例示したが、これに限らず、室外熱交換器３０は、１つの長辺部Ｌと共に、長辺部Ｌの両端部のそれぞれに短辺部Ｓを有する平面視Ｕ字状のものであってもよい。このように、室外熱交換器３０が長辺部Ｌと短辺部Ｓとを有する場合、吊下部８０は、長辺部Ｌの上部に配置するとよい。このように、曲げ形状を有する室外熱交換器３０の中で、長い直線部を持つ領域側を支持するようにすれば、分散させた支持荷重を、吊下部８０が設けられた位置で効率的に受け持つことができる。
【００７４】  また、吊下部８０の位置および数は、室外熱交換器３０の重量、形状、および大きさ等により適宜変更することができる。さらに、図３では、一端掛止部材７１が４つ設けられ、他端掛止部材７２が３つ設けられ、吊下部８０が２つ設けられている場合を例示しているが、これらの数は、室外熱交換器３０の重量、形状、および大きさ等に応じて、適宜変更することができる。加えて、上記各実施の形態では、一端掛止部材７１および他端掛止部材７２によって、室外熱交換器３０の両端部を柱部３に固定する場合を例示したが、これに限らず、一端掛止部材７１および他端掛止部材７２のうちの一方により、室外熱交換器３０のいずれかの端部を支持するようにしてもよい。
【符号の説明】
【００７５】  ２  底板部、３  柱部、３ａ  切欠き部、４ａ  前面パネル、４ｂ  右側面パネル、５  フィンガード、６  天面パネル、７  ファンガード、１０  冷媒回路、１０ａ  冷媒配管、１１  空気吸込口、１２  空気吹出口、１５  四方弁、２０  本体フレーム、２１  吊下受け部、２２  支持部、２２ａ  挿入穴、２３  規制部、２５  土台部、３０  室外熱交換器、３１  第１熱交換器、３２  第２熱交換器、３３  第３熱交換器、３４  伝熱管、３４ａ  第１伝熱管、３４ｂ  第２伝熱管、３４ｃ  第３伝熱管、３４ｆ  フィン、３５  ヘッダ部、３５ａ  第１ヘッダ、３５ｂ  第２ヘッダ、３６  ディストリビュータ、４０  圧縮機、４１  四方弁、４２  アキュームレータ、４３  室内熱交換器、４４  膨張弁、５０  送風ファン、６０  制御装置、７１  一端掛止部材、７２  他端掛止部材、７５、１７５  連結部材、７５ａ  第１溝部、７５ｂ  第２溝部、７５ｃ  第３溝部、８０  吊下部、８１  第１吊下部材、８１ａ、８２ａ  基部、８１ｂ、８２ｂ、８３ｂ  伝熱管係合部、８１ｃ、８２ｃ  係止部、８１ｄ、８２ｄ、８３ｄ  ガイド部、８２  第２吊下部材、８３  第３吊下部材、８３ｃ  掛止部、１００  室外機、１７５ｃ  規制壁、１７５ｄ  係合部、２００  室内機、３００  空気調和装置、Ｌ  長辺部、Ｓ  短辺部。
【図１】
0006628931.tif 000002
【図２】
0006628931.tif 000003
【図３】
0006628931.tif 000004
【図４】
0006628931.tif 000005
【図５】
0006628931.tif 000006
【図６】
0006628931.tif 000007
【図７】
0006628931.tif 000008
【図８】
0006628931.tif 000009
【図９】
0006628931.tif 000010
【図１０】
0006628931.tif 000011
【図１１】
0006628931.tif 000012
【図１２】
0006628931.tif 000013
【図１３】
0006628931.tif 000014
【図１４】
0006628931.tif 000015
【図１５】
0006628931.tif 000016
【図１６】
0006628931.tif 000017